(57)【特許請求の範囲】
【請求項１】
複数の止水装置を組み合わせて一定の領域への水の浸入を防ぐ止水ユニットであって、
前記止水装置は、
水平方向に密接し、前記止水装置を列状に配置するために、水を受ける胴体部の両端に凸状及び凹状により嵌合して連結する連結部を備え、
前記胴体部は、
水を受ける面を持つ胴体と、
水を水平方向に分散させるために水平方向に傾斜し、且つ前記胴体の中心を対称に両側に設けた傾斜面と、を備え、
複数の前記止水装置を列状に連結することにより、水平方向に傾斜を備え、平面から視ると連続した山状に形成したことを特徴とする止水ユニット。
【請求項２】
複数の止水装置を組み合わせて一定の領域への水の浸入を防ぐ止水ユニットを形成する前記止水装置であって、
一面を突出した形状に形成し、その対向する他面を、略同様な形状に凹ませることにより、前記止水装置を高さ方向に密接して積み上げて段状の段状止水ユニットを形成することが可能である胴体部と、
水平方向に密接し、前記止水装置を列状に配置する列状止水ユニットを形成するために、水を受ける前記胴体部の両端に凸状及び凹状により嵌合して連結する連結部と、を備え、
複数の前記止水装置を、段状に積み上げる前記段状止水ユニット又は列状に配置する前記列状止水ユニットに選択的に配置を変更することが可能であることを特徴とする止水装置。
【発明の詳細な説明】
【技術分野】
【０００１】
本発明は、ゲリラ豪雨等の際に、建物や水の浸入を防ぎたい箇所の前に設置し、建物等内への水の浸入を防ぐ止水装置に関する。
【背景技術】
【０００２】
昨今、記録的な大雨が続いており、一時に大量の雨が降るために、排水設備が追いつかずに、建物内に水が浸入する被害を多くもたらせている。
これらゲリラ豪雨の際に、建物内への水の浸入を防ぐために従来から土のうが多く使われていた。この土のうは、袋の中に砂や土をいれてあるので、女性での作業は非常に大変であり、重たく運ぶための労力を多分に必要としていた。また、水分を吸った後の土のうは、更に重たく直ぐに撤去することは重労働となっていた。更に、都心部では土の調達や土のうの保管が困難であった。
【０００３】
そのために、軽量であって設置の容易な止水装置が要望されてきている。例えば、特許文献１には、一方から他方への水の浸入を防止する止水装置であって、裏面に止水部材を備えた底板と 、該底板の後端から立ち上がる立上がり板とを有する略Ｌ字型をしたものであり、止水装置の左右端部の少なくとも一端部側に、止水装置と止水装置を左右に連結するための連結部を有する構成とする。構造が非常にシンプルで、且つ、軽量なものであるため 、体力に劣るお年寄りや女性でも、容易に止水装置を保管場所から持ち運んで、止水する必要がある現場で迅速に止水装置同士を連結し、遮水壁を構築することができる発明が提案されている。
【０００４】
また、例えば、特許文献２には、洪水時などに一定領域への浸水を防ぐため のパネル土のうにおいて、一定領域とは反対方向に延設された水平部と、水平部の一定領域側端部から垂直方法に延設された垂直部とを備え 、水平部、及び垂直部が、防水素材であって、延設方向に連通した中空部を有し、中空部が、水平部の延設方向側端部から、垂直部の延設方向側端部まで連通している発明が提案されている。 
【先行技術文献】
【特許文献】
【０００５】
【特許文献１】特開２０１６−１０８８９７号公報
【特許文献２】特開２０１６−２２３１８３号公報
【発明の開示】
【発明が解決しようとする課題】
【０００６】
しかしながら、従来の止水装置では、止水機能を発揮するのは勿論必要であると同時に持ち運びを容易にするために、止水装置をある一定の大きさにした上で連結して構成するものが多く存在しているが、一つの止水装置が軽いために浮力により浮いてしまうという問題や、連結箇所が強固に連結する構造でないため連結箇所から水が浸入しやすくなるという問題や、止水装置が設置面に対する凹凸に追従しないために、水の浸入を許してしまうという問題もあった。また、土のうでは砂を必ず用意しておかなくてはならず、都会や高速道路等の土や砂等が近くにない場合には、砂等の保管スペースや保管方法が大変煩雑であった。また、従来の装置は、高さが最初から定められており、後から高さ方向に変更することは困難な状況であった。
【０００７】
本発明は、上記した何れかの課題を解決するために、主に水の浸入を防ぐ機能は勿論のこと、人が容易に運ぶことが可能であって、設置や撤去を容易にし、保管スペース確保や保管に優れ、水位に応じて変形が可能である等の何れかの機能を発揮できる止水装置を提供することにある。
【課題を解決するための手段】
【０００８】
複数の止水装置を組み合わせて一定の領域への水の浸入を防ぐ止水ユニットであって、
前記止水装置は、
水平方向に密接し、前記止水装置を列状に配置するために、水を受ける胴体部の両端に凸状及び凹状により嵌合して連結する連結部を備え、
前記胴体部は、
水を受ける面を持つ胴体と、
水を水平方向に分散させるために水平方向に傾斜し、且つ前記胴体の中心を対称に両側に設けた傾斜面と、を備え、
複数の前記止水装置を列状に連結することにより、水平方向に傾斜を備え、平面から視ると連続した山状に形成したことを特徴とする。
【発明の効果】
【０００９】
以上の特徴により、本発明の止水装置は、止水装置同士を強固に連結することが可能であり、流れのある水を受けても外れることにない丈夫な止水ユニットを形成することができる。また、女性やお年寄りであっても簡単に止水装置を連結することが可能である。
【図面の簡単な説明】
【００１０】
【図１】実施形態の止水装置を連結して設置した概要図である。
【図２】実施形態の止水装置を示す斜視図である。
【図３】実施形態の止水装置における正面、平面、右側面及び左側面を示す図である。
【図４】実施形態の止水装置における背面及びＡ−Ａ断面を示す図である。
【図５】実施形態の止水装置の他の形態の概要図である。
【図６】実施形態の止水装置を段積みして設置した概要図である。
【図７】実施形態の連結した止水装置の止水機能を示す説明図である。
【図８】実施形態の平面から視た止水装置の止水機能を示す説明図である。
【図９】実施形態の止水装置の他の形態の概要図である。
【発明を実施するための形態】
【００１１】
本発明にかかる止水装置について、図面を参照しつつ詳細に説明する。尚、以下に説明する実施形態及び図面は、本発明の実施形態の一部を例示するものであり、これらの構成に限定する目的に使用されるものではなく、本発明の要旨を逸脱しない範囲において適宜変更することができる。
【００１２】
<止水装置の構造>
止水装置１０の構成を図１乃至図４を参照し説明する。図１は、実施形態の止水装置１０を連結し止水ユニット１を現す全体の斜視図である。図２は、実施形態の止水装置１０を背面、平面及び右側面から視た斜視図である。図３は、実施形態の止水装置１０における正面（図３（Ｂ））、平面（図３（Ａ））、右側面（図３（Ｄ））及び左側面（図３（Ｃ））を示す図である。図４は、実施形態の止水装置１０における背面（図４（Ｅ））及び図４（Ｆ）に示すＡ−Ａ線で切断した断面（図４（Ｆ））を示す図である。
【００１３】
止水ユニット１は、図１に示すように、建物の壁３や柱２で構成した出入り口４の前に、複数個の止水装置１０を連結して形成している。止水装置１０は、図３（Ｂ）に示す長手方向の全体寸法は４３５ｍｍ、図３（Ｃ）に示す幅方向は２００ｍｍ及び高さ方向は３００ｍｍの寸法である。
【００１４】
止水装置１０は、持ち運びがしやすいようにまた浮力により浮かないように、スチレン・ブタジエンゴム（ＳＢＲ）に砂をブレンドし、所定の重さ、例えば５ｋｇから２５ｋｇの質量に形成し、最適は１６ｋｇの質量にて形成している。
【００１５】
止水装置１０の比重は、１以上の比重が良く、最適は０．９１から０．９３程度の比重のゴムを比重１．５から２．５の砂とブレンドし、水よりも重い比重１．０以上から２．０程度とすると良い。
止水装置１０は、デュロメータで測定した硬度で、硬度５０°から８０°程度が良く、最適は７５°から８０°である。
【００１６】
材質は、ゴム材では、スチレン・ブタジエンゴム（ＳＢＲ）の他に、天然ゴム（ＮＲ）、ブチルゴム（ＩＩＲ）、ニトリルゴム（ＮＢＲ）エチレン・プロピレンゴム（ＥＰＤＭ）、クロロブレンゴム（ＣＲ）、ウレタンゴム（ＰＵＲ）、シリコーンゴム（ＳＩ）及びフッ素ゴム（ＦＰＭ）がある。
【００１７】
また、止水装置１０は、プラスチック材料では、ポリプロピレン、ポリエチレン、ＡＢＳ樹脂及びポリアセタールを使用しても良く。また止水装置１０は、アルミやステンレス等の金属の粉末をプラスチック樹脂に混ぜた成形品であっても良い。
【００１８】
止水装置１０は、図２に示すように両端に円柱状の突部１８と、その突部１８と嵌合できるように円形状の溝である溝部１９を備えている。止水装置１０は、この突部１８と溝部１９が嵌合することにより、容易に連結することができる構造となる。また、止水装置１０は、突部１８を上から挿入し、溝部１９に連結することにより、水を受ける方向から容易に外れない構造としている。
【００１９】
尚、突部１８と溝部１９は、断面形状を円形状にしたが、円形状だけでなく、三角形状、四角形及び多角形状又は楕円形状等であっても良く、水を受ける方向から容易に外れない嵌合可能な形状であれば良い。
また、突部１８と溝部１９だけで連結したが、他に連結するための部材を介在させて連結しても良い、このような構造により、直線だけでなく弧状に止水装置１０を連結した止水ユニット１を形成することも可能である。
【００２０】
止水装置１０は、図２又は図３（Ａ）に示すように平面から視ると波形の形状を形成している。止水装置１０は、胴体を形成し最初に水を受ける胴体面１１を形成し、胴体面１１から両端に向かって曲線を伴って傾斜した胴体を形成する胴体傾斜面１６を設けている。その胴体傾斜面１６は、中央に凹状の凹部２１を設けている。止水装置１０は、胴体面１１及び胴体傾斜面１６を、正面及び背面とも同一形状にすることにより後述する平積みによって隙間無く段積みすることが可能である。
【００２１】
また、図３（Ｂ）に示すように反対面の両側にある胴体傾斜面１６の中央に凹状の凹部２１を設けている。また、反対面の正面の胴体面１１の中央に中央凹部２２を設けている。
凹部２１及び中央凹部２２は、図４（Ｆ）に示すように、更に内部に向かうに従い傾斜を形成した凹状を形成している。このように、止水装置１０は、平面を波形状にするだけでなく凹部２１を設けることにより、水を受けた際に分散させる能力を発揮し、水の勢いを分散させている。
【００２２】
止水装置１０は、図２又は図３（Ｃ）（Ｄ）に示すように胴体傾斜面１６から立ち上がった立上がり部１２を形成している。また、止水装置１０は、立上がり部１２の両端及び中央に突出した突出部１３を設けている。突出部１３は、立上がり部１２の一部を断面が円弧状に切り欠いた切欠き曲面部１４を設けることにより凸形状が形成される。
【００２３】
立上がり部１２の反対側には、段積みした場合に突出部１３と嵌合する凹状の穴部１５が形成されている。また、穴部１５と穴部１５との間は、断面が円孔状の円弧突部１７となり段積みした場合に切欠き曲面部１４の空間に嵌まり込む形状となっている。
【００２４】
また、止水装置１０は、力の無い女性や老人等でも持ちやすくするために各所に取っ手となる機能がある。例えば、突部１８、溝部１９、立上がり部１２、切欠き曲面部１４及び穴部１５の凹や凸の部分により持ち運ぶが容易である。
【００２５】
（止水装置の他の実施形態）
次に、図５を参照し止水装置１０の他の実施形態を説明する。尚、上述した箇所と同じ箇所には同じ符号を付し、その他の機能や構成は上述した止水装置１０（図１から図４）と同じであるために説明は省略する。図５は、各止水装置１０ａ〜１０ｄの平面視した状態の図である。
【００２６】
止水装置１０ａは、胴体傾斜面１６を延長し、全体を山状とした先端の胴体面１１を曲面にしている。止水装置１０ａは、この山状と曲面により、水の勢いを分散させている。
止水装置１０ｂは、全体を山状とし、先端の胴体面１１に至るまで、多数の傾斜角度を持った辺で形成した胴体傾斜面１６を形成している。止水装置１０ｂは、この山状と多数の角度の胴体傾斜面１６により、水の勢いを分散させている。
【００２７】
止水装置１０ｃは、全体を山状とし、先端の水平状の胴体面１１に至るまで、多数の傾斜角度を持った辺で形成した胴体傾斜面１６を形成している。止水装置１０ｃは、この山状と曲面により、水の勢いを分散させている。
【００２８】
止水装置１０ｄは、全体を山状とし、先端の水平状の胴体面１１に至るまで、多数の傾斜を持った辺で形成した胴体傾斜面１６を形成している。また水平状の胴体面１１に半円柱状が高さ方向に延設される形状や半球が高さ方向に所定間隔を空けて配置し、平面から視ると円弧状に突出した円弧突出部１１ｄを備えている。止水装置１０ｄは、この山状と円弧突出部１１ｄにより、水の勢いを分散させている。また、胴体面１１の反対面は、円弧受け部１１ｄと嵌合するために、同じ形状の凹みである円弧凹み部１１ｅを備えている。
【００２９】
突出部１３と嵌合する凹状の穴部１５及び円弧突部１７となり段積みした場合に切欠き曲面部１４の空間に嵌まり込むんでいる二つの嵌合状態の位置は、段上にした場合の上方又は下方のどちら側に設けても良く適宜変更可能である。
【００３０】
（止水装置の応用例）
図１に示すように止水装置１０は、連結して止水機能を果たす他に、図６に、水量が多く水の勢いが強い場合等に複数の止水装置１０を段積みした止水ユニット１ａの一例を示す。止水ユニット１ａは、複数の止水装置１０を密接に１列に配置し、その上に止水装置１０を半分ずらした状態で上に重ねていく、段積みした場合に、突出部１３と穴部１５が嵌合し、また円弧突部１７と切欠き曲面部１４（図２又は図３（Ｃ）（Ｄ））の空間に、止水装置１０同士が密接し水の浸入を防いでいる。
【００３１】
また、本実施例ではゴム材を使用した場合を示しているが、重ねれば重ねるほど自重で密着し隙間無く段積みすることが可能である。また、止水装置１０は、ゴム材の弾性により設置面と密着し水の浸入を防ぐことが可能である。そのため、止水装置１０は、ゴム材であると共に段積みすることにより、重くなり設置面に凹凸があっても強力に設置面と密着する。また、止水ユニット１ａの材質は、水よりも比重が重いため、勢いよく水がぶつかっても水に浮くことや衝撃で止水ユニット１ａが崩れることはない。
【００３２】
（止水装置の付加装置）
次に、図９を参照し止水装置１０の他の実施形態を説明する。尚、上述した箇所と同じ箇所には同じ符号を付し、その他の機能や構成は上述した止水装置１０（図１から図４）と同じであるために説明は省略する。図９（Ａ）は、平面から視た図を示し、図９（Ｂ）は、正面から視た図を示し、図９（Ｃ）は、図９（Ａ）に示すＢ−Ｂ線で切断した断面の上方の一部分を示す図である。図９（Ｄ）は、図９（Ａ）に示すＢ−Ｂ線で切断した断面の下方の一部分を示す図である。
【００３３】
図９（Ｂ）に示すように、止水装置１０の上下の両端に緩衝材２３を設けた図である。図９（Ａ）及び（Ｃ）に示すように、止水装置１０は、外周から所定間隔開けた周囲を囲むように緩衝材２３を接着又は嵌合固定するための溝である緩衝溝２４が設けられている。
【００３４】
図９（Ｄ）に示すように緩衝材２３は、止水装置１０の自重により設置面５との隙間を埋めており、土、アスファルト舗装やコンクリート舗装等の凹凸がある場所でも、緩衝材２３が設置面と密着し水の浸入を防ぐ効果を持っている。緩衝材２３は、スポンジやゲル状の止水装置１０の自重により潰れ等の変形し設置面との密着度合い又は密着面積を増やす材質であれば良い。また、緩衝材２３の内部は、水分を吸ってジェル状に膨らむような高分子吸収材であってもよい。
【００３５】
尚、緩衝溝２４は、特に限定しないが止水装置１０の周囲全部ではなく一部分であっても良い。また、上述した段積みした止水ユニット１ａの止水装置１０は、設置面５と接する箇所に緩衝材２３及び緩衝溝２４を設けるようにしても良い。また、止水装置１０の上下の両端に限らずどちらか一方だけでも良い。
【００３６】
（止水装置の作用）
次に、図７及び図８を参照し止水ユニット１、１ａにより止水する際の作用を説明する。
先ず図７は、図１に示す止水ユニット１の斜視図を示す。図８（Ａ）は、平面から視た止水装置１０の作用を示す。
【００３７】
図７及び図８（Ａ）に示すように、水Ｗ１が止水装置１０の正面から押し寄せた際の作用を示す。水Ｗ１が止水装置１０の正面から押し寄せると、胴体面１１で受けた水Ｗ２は、左右に分散する。そして、水Ｗ２は、胴体傾斜面１６に沿って流れ、また胴体傾斜面１６及び胴体面１１に設けられる凹部２１及び中央凹部２２によって左右に限らず上限方向にも水Ｗ３が分散する。このような形状の止水装置１０により、水Ｗ１の勢いは分散され水の浸入を防いでいる。
【００３８】
次に、図８（Ｂ）は、側面から視た止水装置１０の作用を示す。図６及び図８（Ａ）に示すように、水Ｗ１が止水装置１０の正面から押し寄せた際の作用を示す。水Ｗ１が止水ユニット１ａの側面から押し寄せると、平積みにより段積みを行った止水装置１０は、上述したように突出部１３と穴部１５が嵌合し、また円弧突部１７と切欠き曲面部１４の空間に嵌まり込むんでいるために（図２又は図３（Ｃ）（Ｄ））、止水装置１０同士が密接し水の浸入を防いでいる。
【００３９】
また、設置面５と止水装置１０の円弧突部１７とは密接しており、水Ｗ１が浸入してきた場合であっても、水Ｗ４の浸入を防いでいる。
更に、上方まで水Ｗ５が押し寄せても、胴体傾斜面１６にある凹部２１により分散する機能や凹部２１、中央凹部２２及び設置面５と止水装置１０の空間にできた側溝部２５に水が留まり浸入を防ぐ若しくは堰き止める効果もある。
【００４０】
（技術的特徴）
以下に本実施形態の技術的特徴点の一例を括弧に内に示すが、特に限定するものでもなく例示しているものであり、これら特徴から考えられる効果についても記載する。
【００４１】
＜第１の特徴点＞
複数の止水装置（例えば、主に止水装置１０、１０ａ、１０ｂ、１０ｃ、１０ｄ）を組み合わせて一定の領域への水の浸入を防ぐ止水ユニット（例えば、主に止水ユニット１、１ａ）を形成する前記止水装置であって、
水平方向に密接し、前記止水装置を列状に配置する列状止水ユニット（例えば、主に止水ユニット１）を形成するために、水を受ける胴体部の両端に凸状及び凹状により嵌合して連結する連結部（例えば、主に突部１８、溝部１９）を備えたことを特徴とする。
【００４２】
以上の特徴により、本発明の止水装置は、止水装置同士を強固に連結することが可能であり、流れのある水を受けても外れることにない丈夫な止水ユニットを形成することができる。また、女性やお年寄りであっても簡単に止水装置を連結することが可能である。
【００４３】
＜第２の特徴点＞
複数の止水装置（例えば、主に止水装置１０、１０ａ、１０ｂ、１０ｃ、１０ｄ）を組み合わせて一定の領域への水の浸入を防ぐ止水ユニット（例えば、主に止水ユニット１、１ａ）を形成する前記止水装置であって、
一面を突出した形状に形成し、その対向する他面を、略同様な形状に凹ませることにより、前記止水装置を高さ方向に密接して積み上げて段状の段状止水ユニット（例えば、主に止水ユニット１ａ）を形成することが可能である胴体部（例えば、主に胴体面１１、胴体傾斜面１６）を備えたことを特徴とする。
【００４４】
以上の特徴により、本発明の止水装置は、水量の多い場合には複数の止水装置を積み上げて重量を多くすることにより、設置面とのグリップ力を向上させ止水機能を発揮させることと共に、突出した胴体の形状に合わせて、凹ませた胴体を対向する他面に形成することによって、止水装置同士が密着し止水の能力を向上している。
【００４５】
また、止水装置同士が密着することにより水の勢いが強くとも強固に嵌合するので連結が途切れることはない。また、高さ方向は、段積みすることによって数を増やすことにより対応が可能である。また、止水装置は、平積みのような段積みが可能であるため、保管に容易である。
【００４６】
＜第３の特徴点＞
複数の止水装置を組み合わせて一定の領域への水の浸入を防ぐ止水ユニット（例えば、主に止水ユニット１、１ａ）を形成する前記止水装置（例えば、主に止水装置１０、１０ａ、１０ｂ、１０ｃ、１０ｄ）であって、一面を突出した形状に形成し、その対向する他面を、略同様な形状に凹ませることにより、前記止水装置を高さ方向に密接して積み上げて段状の段状止水ユニット（例えば、主に止水ユニット１ａ）を形成することが可能である胴体部（例えば、主に胴体面１１、胴体傾斜面１６）と、水平方向に密接し、前記止水装置を列状に配置する列状止水ユニット（例えば、主に止水ユニット１）を形成するために、水を受ける前記胴体部の両端に凸状及び凹状により嵌合して連結する連結部（例えば、主に突部１８、溝部１９）と、を備え、複数の前記止水装置を、段状に積み上げる前記段状止水ユニット又は列状に配置する前記列状止水ユニットに選択的に配置を変更することが可能であることを特徴とする。
【００４７】
以上の特徴により、本発明の止水装置は、水位や水の勢いに合わせて選択的に載置する状態を変化させるだけで一つの止水装置で容易に行うことが可能である。止水装置は、そのため緊急な場合に迅速に対応することが可能である。また、止水装置は、平積みのような段積みが可能であるため、保管に容易である。
【００４８】
＜第４の特徴点＞
少なくともゴム材を含んで比重が１以上であって、全体の質量を５ｋｇ以上から２５ｋｇ以内にし、一体的に成形したことを特徴とする。
【００４９】
以上の特徴により、本発明の止水装置は、ゴム材により、凹凸のある設置面であっても、設置面に密着し止水効果を向上させている。また、止水装置は、比重が水よりも重たいため浮力により浮くことはなく、設置面等の載置面に密着させることが可能である。また、止水装置は、一体成形であるために、他の部品等組み合わせて使用する必要がなく、迅速に載置や組み立てが容易となる。また、一般的に運ぶ際にも女性やお年寄りであっても容易に運搬することが可能な重さである。
【００５０】
＜第５の特徴点＞
前記止水装置は、上方の一部に凸状又は凹状の上部嵌合部（例えば、主に突出部１３、穴部１５、円弧突部１７、切欠き曲面部１４）と、下方に上部嵌合部と嵌合する凸状又は凹状の下部嵌合部（例えば、主に突出部１３、穴部１５、円弧突部１７、切欠き曲面部１４）と、を備えたことを特徴とする。
【００５１】
以上の特徴により、本発明の止水装置は、段状止水ユニットを形成する際に、上方の止水装置と下方の止水装置を密接に連結することが可能であるため、水の浸入を強固に防いでいる。
【００５２】
＜第６の特徴点＞
前記止水装置は、前記胴体部の内の少なくとも傾斜面に、内部に向かって傾斜する凹状の空間部（例えば、主に凹部２１、中央凹部２２）を形成したことを特徴とする。
以上の特徴により、本発明の止水装置は、空間部により水の勢いを分散させて、水の勢い緩和することが可能であるので、止水する機能が更に向上する。
【００５３】
＜第７の特徴点＞
前記段状止水ユニットの最下方にあって、設置面と前記胴体部の下方との間に水を堰き止める空間である側溝空間部（例えば、主に側溝部２５）を備えたことを特徴とする。
以上の特徴により、本発明の止水装置は、段積みし重量より設置面とのグリップ力を高めているが、それでも水が浸入する側の設置面が削れたりし、水が浸入した場合であっても、側溝空間部に水が貯まる空間があるため、堰き止める効果や水の勢いを空間により和らげる効果もある。
【００５４】
＜第８の特徴点＞
前記段状止水ユニットは、前記止水装置を水平方向に配置を半分ずらした際に、前記上部嵌合部及び前記下部嵌合部を合致する位置に構成したことを特徴とする。
【００５５】
以上の特徴により、本発明の止水装置は、密着性が向上すると同時に、止水装置が交互に配置されるので、止水装置同士の境界が１列に並ばないようにすることで、水の浸入を極力防いでいる。また、止水装置が交互に配置されるので、段状止水ユニットが水の勢いにより崩れにくくなっている。
【００５６】
＜第９の特徴点＞
前記連結部は、凸状となる立体状の突部（例えば、主に突部１８）と、その突部が挿入可能な溝状の溝部（例えば、主に溝部１９）とを備え、前記突部は前記溝部に水の浸入と略直交する方向から挿入して連結したことを特徴とする。
以上の特徴により、本発明の止水装置は、簡単に挿入可能であって、また水の浸入に対して方向から挿入して連結しているので、連結が水の勢いで外れることはない。
【００５７】
＜第１０の特徴点＞
前記突部、前記溝部、前記上部嵌合部及び前記下部嵌合部の何れかが手で掴むことが可能な取手部を備えたことを特徴とする。
以上の特徴により、簡単に運ぶことが可能とするために、連結するための機能と共に手で掴む取手部を構成することが可能である。
【００５８】
＜第１１の特徴点＞
少なくとも上端又は下端の周囲の少なくとも一部に、変形し設置面（例えば、主に設置面５）との隙間を埋める緩衝材（例えば、主に緩衝材２３）を固定することが可能な緩衝材固定部（例えば、主に緩衝溝２４）を備えたことを特徴とする。
以上の特徴により、凹凸があるような設置面であっても、緩衝材が隙間を埋めて水の浸入を防ぐことができるので、緩衝材を固定することが可能な緩衝材固定部を備えることにより、止水装置は、設置面との密着性を更に高めることが可能である。
【産業上の利用可能性】
【００５９】
建築物の前だけでなく堤防や道路等の水が浸入を防ぐ必要がある箇所に使用も可能である。
【符号の説明】
【００６０】
１・１ａ…止水ユニット、２…柱、３…壁、４…出入り口、５…設置面、
１０、１０ａ、１０ｂ、１０ｃ、１０ｄ…止水装置、１１…胴体面、
１１ｄ…円弧受け部、１２…立上がり部、１３…突出部、１４…切欠き曲面部、
１５…穴部、１６…胴体傾斜面、１７…円弧突部、１８…突部、１９…溝部、２１…凹部、
２２…中央凹部、２３…緩衝材、２４…緩衝溝、２５…側溝部、
Ｗ１、Ｗ２、Ｗ３、Ｗ４、Ｗ５…水。
【要約】
【課題】
本発明は、主に水の浸入を防ぐ機能は勿論のこと、人が容易に運ぶことが可能であって、設置や撤去を容易にし、保管スペース確保や保管に優れ、水位に応じて変形が可能である等の何れかの機能を発揮できる止水装置を提供することにある。
【解決手段】複数の止水装置（１０）を組み合わせて一定の領域への水の浸入を防ぐ止水ユニット（１）を形成する止水装置であって、水平方向に密接し、止水装置を列状に配置する列状止水ユニット（１）を形成するために、水を受ける胴体部の両端に突出した円柱状の突部及び断面が円弧状の溝状の凹部により嵌合して連結する連結部を備えたことを特徴とする。
【選択図】図１【図１】
0006651088.tif 000002
【図２】
0006651088.tif 000003
【図３】
0006651088.tif 000004
【図４】
0006651088.tif 000005
【図５】
0006651088.tif 000006
【図６】
0006651088.tif 000007
【図７】
0006651088.tif 000008
【図８】
0006651088.tif 000009
【図９】
0006651088.tif 000010